(57)【特許請求の範囲】
【請求項１】
内部に機能部を収容するケーシングと、
前記ケーシング内に設けられ前記機能部を制御するための制御部と、を備え、
前記制御部は、電子部品を実装した制御基板と、前記制御基板を収容する桶状の収容ケースと、から構成され、
前記制御基板は、前記電子部品を下にして前記収容ケースの天井面の内側に取り付けられ、
前記収容ケースは、その開口部を下に向けた状態で前記ケーシングの底面に取り付けられていることを特徴とする電子機器。
【請求項２】
前記収容ケースは、前記天井面の周縁から下方に延びる側面を有し、
前記ケーシングの前記底面には、この底面から上方に向かって延びる立壁部を有し、
前記収容ケースの前記側面の内側と前記ケーシングの前記立壁部の外側とが当接して、前記収容ケースと前記ケーシングとにより筐体が構成されていることを特徴とする請求項１に記載の電子機器。
【発明の詳細な説明】
【技術分野】
【０００１】
本発明は、電子機器に係り、特に、電子機器のケーシング内の制御基板を保護するための構造に関する。
【背景技術】
【０００２】
従来より、例えば衛生洗浄装置のケーシングには、人体洗浄ユニット等の各種ユニットが組み込まれており、これらの各種ユニットを制御するために制御部が設けられている。そして、この制御部は、多数の電子部品が実装された制御基板と、制御基板を収容する桶状の収容ケースとから構成されている。このとき、桶状の収容ケースは、その開口部を上方に向けた状態でケーシングの底面に固定されている。
しかし、上記のような衛生洗浄装置のケーシングでは、ケーシング内壁の天井面に結露により水滴が付着し、それが成長して、最終的に制御基板に滴下することがある。
【先行技術文献】
【特許文献】
【０００３】
【特許文献１】特開２００３−２２９６７８
【０００４】
このような問題を解決するために、近年では、制御基板を水滴等から確実に保護するために、制御基板が取り付けられた収容ケースの上方を覆うカバー部材が設けられている。
【発明の概要】
【発明が解決しようとする課題】
【０００５】
しかしながら、上記のカバー部材が必要な分だけ部品点数が増大し、組立工数も増大するという問題がある。また、上記のカバー部材は、通常、桶状の収容ケースの開口部を塞ぐ形で取り付けられるため、カバー部材と収容ケースとの間の隙間から水滴が侵入し、基板が被水してしまう恐れがあった。
【０００６】
そこで、本発明は、上述した従来技術の問題点を解決するためになされたものであり、制御基板を結露による水滴から確実に保護することを目的としている。
【課題を解決するための手段】
【０００７】
前記の目的を達成するために、本発明は、以下のような手段を採用している。すなわち、本発明は、内部に機能部を収容するケーシングと、前記ケーシング内に設けられ前記機能部を制御するための制御部と、を備え、前記制御部は、電子部品を実装した制御基板と、前記制御基板を収容する桶状の収容ケースと、から構成され、前記制御基板は、前記電子部品を下にして前記収容ケースの天井面の内側に取り付けられ、前記収容ケースは、その開口部を下に向けた状態で前記ケーシングの底面に取り付けられていることを特徴とする。
【０００８】
このように構成された本発明においては、制御基板を収容する収容ケースが、制御基板の上方及び側方を覆うため、ケーシング内壁の天井面等から結露により水滴が落下したとしても、収容ケースがカバー部材の機能も果たし、部品点数・組立工数を減らしながら、制御基板の被水を防止できる。
また、制御基板は、電子部品を下にして収容ケースの天井面の内側に取り付けられているため、結露により収容ケース内に水滴が発生したとしても、収容ケースが取り付けられたケーシングの底面と制御基板との間に十分な距離があり、制御基板の被水を確実に防止することができる。
【０００９】
本発明は、好ましくは、前記収容ケースは、前記天井面の周縁から下方に延びる側面を有し、前記ケーシングの前記底面には、この底面から上方に向かって延びる立壁部を有し、前記収容ケースの前記側面の内側と前記ケーシングの前記立壁部の外側とが当接して、前記収容ケースと前記ケーシングとにより筐体が構成されていることを特徴とする
【００１０】
このように構成された本発明においては、収容ケースの側面の内側とケーシング底面の立壁部の外側とが当接して、収容ケースとケーシングとにより筐体が構成されるため、制御基板の被水を確実に防止できると共に、万が一、制御基板より発火が生じたとしても、筺体内で酸欠鎮火されるため、周囲へ燃え広がることがない。
【発明の効果】
【００１１】
本発明の電子機器によれば、制御基板を結露による水滴から確実に保護することができる。
【図面の簡単な説明】
【００１２】
【図１】本発明を適用する衛生洗浄装置の一例を示す斜視図である。
【図２】図１の衛生洗浄装置のケーシングの分解斜視図である。
【図３】図２のケースプレートの平面図である。
【図４】図３のＡ−Ａ断面図である。
【図５】図３のＤ−Ｄ断面図である。
【図６】右側当接部の部分拡大図である。
【発明を実施するための形態】
【００１３】
以下、本発明の実施形態に係る電子機器を具現化するための具体例について説明する。本具体例に係る電子機器は、衛生洗浄装置であり、便器の上面後方に取り付けられ、人体の局部を洗浄水で洗浄するものである。
【００１４】
図１は、本具体例に係る衛生洗浄装置の一例を示す斜視図である。図１に示すように、本具体例による衛生洗浄装置１００は、人体に向かって洗浄水を噴射するノズル７００と、このノズル７００を内部に収容するケーシング４００と、ケーシング４００に回動自在に軸支される便座２００と、便座２００の上部を覆う便蓋３００とから構成されている。また、ケーシング４００にはノズル７００を進退させるための開口部（図示しない）が形成され、その開口部を開閉するノズルシャッター６００が設けられている。
さらにケーシング４００の上面には、接近する人を検知する接近検知センサ５００が設けられている。また、図示はしていないもののケーシング４００の内部には、衛生洗浄装置１００の前方の人を検知する人体検知センサと、人が便座２００に着座したことを検知する着座検知センサが設けられている。
【００１５】
次に、図２により、本具体例によるケーシング４００の内部構造について説明する。図２は、図１のケーシング４００の分解斜視図であり、ケーシング４００を構成するケースプレートとケースカバーにおいて、ケースカバーのみを取り外したものである。なお、図２の点線部分は、便器８００の外郭線を示すものであり、衛生洗浄装置１００を便器８００上に載置した際に、ケースプレート４１０と便器８００との位置関係を分かりやすくしたものである。
【００１６】
ケースプレート４１０には、ノズル７００を有する人体洗浄ユニット７１０と、温風ユニット１２０と、脱臭ユニット１６０と、加圧ユニット１１０と、熱交ユニット１５０と、バルブユニット１４０と、それら各種ユニットを制御するための制御部１０が設けられている。ここで、温風ユニット１２０は使用者の「おしり」に温風を送風するものであり、脱臭ユニット１６０は便器８００のボウル部の脱臭を行うものである。また、バルブユニット１４０は水道などの給水源から供給される洗浄水の供給・停止を切り替えるものであり、熱交ユニット１５０はバルブユニット１４０を介して供給される洗浄水を所定温度まで温めるものである。
【００１７】
次に、図３〜図５により本具体例の制御部の詳細構造について説明する。図３は、ケースプレートを上から見た平面図であり、図４は、図３のＡ−Ａ断面図、図５は、図３のＤ−Ｄ断面図である。なお、図３は、制御部１０以外の各種ユニットをケースプレート４１０より取り外したものを示している。
【００１８】
図３に示すように、制御部１０はケースプレート４１０の右側後方に位置している。そして、図示はしないものの、ケースプレート４１０上には、ケーシング４００内で発生した水（結露水を含む）を便器まで誘導する排水経路も設けられている。
そして、制御部１０は、図４、図５に示すように、多数の電子部品２１を実装した制御基板２０と、それを覆う収容ケース１１とから構成されている。なお、本具体例では、制御部１０はケースプレート４１０の右側後方に位置しているが、本発明はこれに限られるものではなく、制御部１０の位置は各ユニットの配置に応じて適宜選択されればよい。
【００１９】
収容ケース１１は、図４、図５に示すように、水平よりわずかに傾斜した（例えば５°）天井面１２と、その天井面１２の周縁から下方に延びる側面（前側面１４ａ、後側面１４ｂ、右側面１４ｃ、左側面１４ｄ）とを備え、全体として桶状に形成されている。そして、制御基板２０は電子部品２１を下にして、収容ケース１１の天井面１２の内側に取り付けられている。なお、図４、図５には、天井面１２の内側にポッティング剤が詰められていないが、必要に応じてポッティング剤を詰めるものであってもよい。この場合、収容ケース１１をポッティングケースとしても使用することが出来る。
【００２０】
さらに、図４に示すように、収容ケース１１は、その前側面１４ａの下端部に前方係止爪１６ａが設けられ、ケースプレート４１０に形成された前方係止部１８ａに係止するよう構成されている。
また、後側面１４ｂの下端部にも後方係止爪１６ｂが設けられ、同じくケースプレート４１０に設けられた後方係止部１８ｂに係止するよう構成されている。これにより、収容ケース１１がケースプレート４１０に固定され、振動等で容易に外れることがない。
【００２１】
図５に示すように、収容ケース１１の右側面１４ｃ及び左側面１４ｄの下端部の内側は、ケースプレート４１０の底面から上方に向かって延びる右立壁部４１６ｃ及び左立壁部４１６ｄの上端部の外側と当接しており、それぞれ右側当接部２２ｃと左側当接部２２ｄとを構成している。これにより、収容ケースケース１１をケースプレート４１０に取付けた際に、収容ケース１１が左右方向にずれることを防止できる。
【００２２】
次に、図６により、右側当接部の構造について説明する。なお、図６は、図５の右側当接部２２ｃの部分拡大図を示したものである。
図６に示すように、本具体例の右側当接部２２ｃは、右側面１４ｃの下端部の内側と、右立壁部４１６ｃの上端部の外側とが当接することで構成されている。そして、その右側当接部２２ｃの上方には、右側面１４ｃの内側と右立壁部４１６ｃの外側との間に空間Ｄ（隙間）を設けている。これにより、右側当接部２２ｃから水滴が侵入しようとしても、この空間Ｄにより遮断できる。
【００２３】
次に、空間Ｄの作用について説明する。ここでは、結露により発生した水滴が、右側面１４ｃの外側を伝って流下する場合を想定して説明する。
まず、右側面１４ｃに付着した水滴は、自身の重力により右側面１４ｃの外側に沿って流れ（矢印Ａ）、その水滴が右側面１４ｃの下端に到達すると、その表面張力により右側当接部２２ｃの方へ流れる（矢印Ｂ）。そして、右側当接部２２ｃに侵入した水滴は毛細管現象により重力に逆らって、収容ケース１１とケースプレート４１０とから構成される筺体の内部へ侵入しようとする（矢印Ｃ）。そこで、右側当接部２２ｃの上方に設けられた空間Ｄにより、水の毛細管現象を阻止し、水の流れを遮断する。よって、水滴が、収容ケース１１とケースプレート４１０とから構成される筺体の内部に侵入することがない。
【００２４】
このように構成された衛生洗浄装置においては、桶状の収容ケース１１とケースプレート４１０により筺体が形成され、制御基板２０がその筺体の天井面１２の内側に取り付けられているため、例えばケースプレート４１０の上方を覆うケースカバーの内側に結露により水滴が付着し、その水滴が収容ケース１１上に落下したとしても、収容ケース１１がカバー部材の役割を果たすため、制御基板の被水を確実に防止することができる。
さらに、収容ケース１１とケースプレート４１０により筺体が形成されているため、万が一、制御基板より発火が生じたとしても、筺体内で酸欠鎮火されるため、周囲へ燃え広がることがない。
また、さらに、このように構成された衛生洗浄装置においては、収容ケース１１の天井面１２上に水滴が付着したとしても、天井面１２が傾斜しているため、そこで滞留することなく傾斜に沿って流れ、最終的には収容ケース１１の側面を介してケースプレート４１０まで到達する。その後、ケースプレート４１０に到達した水滴は、そこでそのまま蒸発するか、またはケースプレート４１０に設けられた排水経路（図示しない）から便器に排水される。したがって、結露により発生した水滴を適切に処理できる。
【００２５】
以上、本発明の実施形態の具体例について説明した。しかし、本発明は、この具体例に限定されるものではない。前述の具体例においては、電子機器が衛生洗浄装置である例を示したが、本発明はこれに限定されず、あらゆる電子機器に適用することができ、本発明に係る電子機器は、例えば、テレビや、電子ゲーム、車両用制御装置、ＡＴＭ（Automated Teller Machine：自動窓口機）及び自動販売機などにも好適に適用することができる。
【符号の説明】
【００２６】
１０      制御部
１１      収容ケース
１２      天井面
１４ａ    前側面
１４ｂ    後側面
１４ｃ    右側面
１４ｄ    左側面
１６ａ    前係止爪
１６ｂ    後係止爪
１８ａ    前係止部
１８ｂ    後係止部
２０      制御基板
２１      電子部品
２２ｃ    右側当接部
２２ｄ    左側当接部
１００    衛生洗浄装置
１１０    加圧ユニット
１２０    温風ユニット
１４０    バルブユニット
１５０    熱交ユニット
１６０    脱臭ユニット
２００    便座
３００    便蓋
４００    ケーシング
４１０    ケースプレート
５００    接近検知センサ
６００    ノズルシャッター
７００    ノズル
７１０    人体洗浄ユニット
【図１】
0005946013.tif 000002
【図２】
0005946013.tif 000003
【図３】
0005946013.tif 000004
【図４】
0005946013.tif 000005
【図５】
0005946013.tif 000006
【図６】
0005946013.tif 000007